(57)【要約】【課題】肩掛けベルトを肩に掛けての移動時には安定性よく、楽に担いで移動ができ、肩から外しての瀬渡し等にはこれを掴んで安全に受け渡しができる釣竿ケースを提供する。【解決手段】釣竿等を収納するためのケース本体１１と、これを持ち運びするための帯状体からなる肩掛けベルト１２を備え、これがそれぞれの上、下端部１３、１４をケース本体１１の長手方向に間隔を設けて取り付けられる釣竿ケース１０において、肩掛けベルト１２が上端部１３から帯状体の幅方向中央で分離し並列させるようにして設けられる第１、第２の肩掛けベルト１２ａ、１２ｂの２つからなると共に、これがそれぞれ上端部１３から中央部１７までの上ベルト１８と、中央部１７から下端部１４までの下ベルト１９からなり、上ベルト１８の相対向するそれぞれの側面にそれぞれの上ベルト１８を結合、又は離間させるためのファスナー２１を有する。【選択図】図１
0003156320.tif 000002
【実用新案登録請求の範囲】
【請求項１】
釣竿等を収納するためのケース本体と、該ケース本体を持ち運びするための帯状体からなる肩掛けベルトを備え、該肩掛けベルトがそれぞれの上、下端部を前記ケース本体の長手方向に間隔を設けて取り付けられる釣竿ケースにおいて、
前記肩掛けベルトが前記上端部から前記帯状体の幅方向中央で分離し並列させるようにして設けられる第１の肩掛けベルトと、第２の肩掛けベルトの２つからなると共に、前記第１の肩掛けベルトと、前記第２の肩掛けベルトがそれぞれ前記上端部から中央部までの上方ベルトと、前記中央部から前記下端部までの下方ベルトからなり、前記上方ベルトの相対向するそれぞれの側面にそれぞれの前記上方ベルトを結合、又は離間させるためのファスナーを有することを特徴とする釣竿ケース。
【請求項２】
請求項１記載の釣竿ケースにおいて、前記第１の肩掛けベルトと、前記第２の肩掛けベルトのそれぞれの前記下方ベルトの前記下端部が間隔を設けて前記ケース本体に取り付けられていることを特徴とする釣竿ケース。
【請求項３】
請求項１又はこれに従属する請求項２記載の釣竿ケースにおいて、前記第１の肩掛けベルトと、前記第２の肩掛けベルトのそれぞれの前記上方ベルトが前記中央部で切断されていると共に、それぞれの切断部にベルト掛止金具を有し、前記下端部から延設するそれぞれの前記下方ベルトがそれぞれの前記ベルト掛止金具に取り付けられて前記第１の肩掛けベルトと、前記第２の肩掛けベルトのそれぞれの前記上端部から前記下端部までの長さ調整が自在からなることを特徴とする釣竿ケース。
【考案の詳細な説明】
【技術分野】
【０００１】
本考案は、釣竿等を収納し、携行して持ち運びをするための釣竿ケースに関し、より詳細には、釣竿や、リール等を収納した状態で肩に掛けて携行できると共に、釣り場での受け渡しができる釣竿ケースに関する。
【背景技術】
【０００２】
従来から、釣竿ケースは、釣竿が収納できるケース本体と、ケース本体を持ち運ぶためのケース本体に取り付けられた肩掛けベルトを備えている。また、最近の釣竿ケースは、ケース本体に複数本の釣竿の他に、釣竿に付けたままとしたリールや、仕掛けを含んで収納するので、形状が歪で、丈夫で頑丈な重量の大きいものとなっている。そして、このような釣竿ケースは、ケース本体に収納された釣竿等を携行して持ち運ぶための肩掛けベルトを、例えば、これに両腕のうちの一方の腕を通して一方の肩に掛けケース本体を上下方向に立てた状態での運搬用として用いている。あるいは、釣竿ケースは、肩掛けベルトを手で掴んでケース本体を寝かせた状態での陸から船に乗るときや、船から釣り場に上がるとき等の容易な受け渡し等として用いている。
【０００３】
しかしながら、上記の釣竿ケースは、肩掛けベルトを一方の肩に掛けてケース本体を上下方向に立てた状態で持ち運ぶ際、形状が歪で、且つ重量が重いので、肩掛けベルトが肩からずれ落ちたり、ずれ曲がったりする場合があり、特に、運搬時には振動等によってずれやすくなって運搬に支障がでている。また、上記の釣竿ケースは、肩掛けベルトに頭を通して襷がけにしてケース本体を背中に担ぐ状態で持ち運ぶ場合には、ケース本体が釣竿の長さに対応させた細長い長尺で、且つ歪な形状となっているので、ケース本体の上、下部が横に飛び出した状態や、ケース本体の下部が前方に飛び出すような状態になり運搬に支障が出たり、運搬時に対向する障害物に当たり危険となっている。
【０００４】
そこで、従来の釣竿ケースには、釣竿が収納可能な竿収納部を有するケース本体と、このケース本体に取り付けられた肩ベルトとを備え、肩ベルトは、ケース本体の長手方向に間隔をおいてその上下両端部が各々取り付けられて肩掛け可能に構成されている釣竿ケースにおいて、肩ベルトの両端部の少なくとも一端部は、竿収納部の幅方向の中心から左右いずれかにオフセットされた位置に取り付けられているのが提案されている（例えば、特許文献１参照）。これによれば、この釣竿ケースは、ケースを一方の肩に掛けて携帯するときにおいてケースの安定性を高めて、釣り人等の携帯者の負担をより一層軽減させることができるとしている。
【０００５】
また、従来の釣竿ケースには、ケース本体の一側部の中央領域に装着されたショルダーベルトとを有している。そして、ショルダーベルトは、上方側に肩当て部を有すると共に、肩当て部の下方に握持部を設ける釣竿ケースが提案されている（例えば、特許文献２参照）。これによれば、この釣竿ケースは、ショルダーベルトに一方の腕を通してケース本体を背負った際、肩から滑り難くできるとしている。
【０００６】
あるいは、従来の釣竿ケースには、釣竿を収納可能なケース本体に肩掛けベルトが設けられた釣竿ケースにおいて、ケース本体及び肩掛けベルトに取り付けられ、且つ、携帯者に巻装可能な紐状体が設けられるのが提案されている（例えば、特許文献３参照）。これによれば、この釣竿ケースは、携帯中に肩からずれ落ちることを好適に防止することで、何度も担ぎ直すという煩雑さを無くすことができると共に、携帯中の揺れにより携帯者に不快感を与えることを防止できるとしている。
【０００７】
更には、渓流釣り等に用いる短い釣竿を収納する釣竿ケースは、釣竿ケース自体をリュックサックに収納できるようにした釣り用リュックサックで持ち運びを容易としたものが提案されている（例えば、特許文献４、特許文献５、特許文献６参照）。
【先行技術文献】
【特許文献】
【０００８】
【特許文献１】特開２００２−２１８８８９号公報
【特許文献２】特開２００７−２５２２３１号公報
【特許文献３】特開平１１−１９６７４３号公報
【特許文献４】特開２００４−１７４１９０号公報
【特許文献５】特開２００６−１４１２４５号公報
【特許文献６】実開平２−９０９７４号公報
【考案の概要】
【考案が解決しようとする課題】
【０００９】
しかしながら、前述したような従来の釣竿ケースは、いまだ解決すべき次のような問題がある。
（１）特開２００２−２１８８８９号公報で開示される釣竿ケースは、肩掛けベルトを肩に掛けたときにケース本体の上部を背中側に回して担ぎやすくなるものの、ケース本体が傾斜して、ケース本体の上、下部が横に飛び出したり、ケース本体の下部が前方に飛び出すような状態になるので、運搬に支障が出たり、運搬時に対向する障害物に当たり危険となっている。また、肩掛けベルトには、一方の肩のみが掛けられて移動するときの激しい振動には耐えることができないので、ずれ落ちたりする不安定さを解消することができなくなっている。
（２）特開２００７−２５２２３１号公報で開示される釣竿ケースは、ケースを肩に掛けて一方の手で肩掛けベルトの握持部を握って抑えることで肩からのずれ落ちを防止しているが、一方の手には何も持つことができなくなるので、オートバイや、自転車等での移動時には用いることができない。また、釣り場への移動時には、一方の手が塞がった状態となるので、岩場等の歩行時には危険であると共に、釣りに必要な他の荷物、例えば、魚の餌や、道具等を持つのに制限がでることとなっている。
（３）特開平１１−１９６７４３号公報等で開示される釣竿ケースは、ケースを肩に掛けたときの安定性を向上でき、移動時の振動にも耐えることができると考えられるものの、肩掛けベルトに一方の肩のみを掛け、紐状体を身体に巻き付けた状態での移動であるので、振動等による紐状体が身体の周りで回転し、移動時の不安定さを完全に解消できなくなっている。また、この釣竿ケースは、ケースを肩から外して紐状体を解放させ、肩掛けベルトを手で掴んでケース本体を寝かせた状態で、例えば、釣り場への瀬渡し等のときには、紐状体が他の荷物に絡まり他の荷物を水中に落下させるような危険性がでることとなっている。
（４）特開２００４−１７４１９０号公報、特開２００６−１４１２４５号公報、実開平２−９０９７４号公報で開示される釣竿ケースは、渓流釣り等用の短い釣竿を収納するケース本体のことであり、これをリュックサックに収納して持ち運びを容易とすることができるようにしている。しかしながら、リュックサックには、細長い長尺の釣竿を収納するケース本体を収納することが不可能となっている。また、リュックサックは、肩掛けベルトが常時２つに分かれているので、リュックサック自体や、一方の肩掛けベルトを手で掴んで、例えば、岩場の釣り場等への瀬渡し等のときには、肩掛けベルトに他の荷物が絡まり船から他の荷物を落下させるような危険性がでることとなっている。
【００１０】
本考案は、かかる事情に鑑みてなされたものであって、肩掛けベルトを肩に掛けての移動時には安定性よく、楽に担いで移動ができ、肩掛けベルトを肩から外しての瀬渡し等にはこれを掴んで安全に受け渡しができる釣竿ケースを提供することを目的とする。
【課題を解決するための手段】
【００１１】
前記目的に沿う本考案に係る釣竿ケースは、釣竿等を収納するためのケース本体と、ケース本体を持ち運びするための帯状体からなる肩掛けベルトを備え、肩掛けベルトがそれぞれの上、下端部をケース本体の長手方向に間隔を設けて取り付けられる釣竿ケースにおいて、肩掛けベルトが上端部から帯状体の幅方向中央で分離し並列させるようにして設けられる第１の肩掛けベルトと、第２の肩掛けベルトの２つからなると共に、第１の肩掛けベルトと、第２の肩掛けベルトがそれぞれ上端部から中央部までの上ベルトと、中央部から下端部までの下ベルトからなり、上ベルトの相対向するそれぞれの側面にそれぞれの上ベルトを結合、又は離間させるためのファスナーを有する。
【００１２】
ここで、上記の釣竿ケースは、第１の肩掛けベルトと、第２の肩掛けベルトのそれぞれの下ベルトの下端部が間隔を設けてケース本体に取り付けられているのがよい。
【００１３】
また、上記のそれぞれの釣竿ケースは、第１の肩掛けベルトと、第２の肩掛けベルトのそれぞれの上ベルトが中央部で切断されていると共に、それぞれの切断部にベルト掛止金具を有し、下端部から延設するそれぞれの下ベルトがそれぞれのベルト掛止金具に取り付けられて第１の肩掛けベルトと、第２の肩掛けベルトのそれぞれの上端部から下端部までの長さ調整が自在からなるのがよい。
【考案の効果】
【００１４】
上記本考案の釣竿ケースは、肩掛けベルトが上端部から帯状体の幅方向中央で分離し並列させるようにして設けられる第１の肩掛けベルトと、第２の肩掛けベルトの２つからなると共に、第１の肩掛けベルトと、第２の肩掛けベルトがそれぞれ上端部から中央部までの上ベルトと、中央部から下端部までの下ベルトからなり、上ベルトの相対向するそれぞれの側面にそれぞれの上ベルトを結合、又は離間させるためのファスナーを有するので、釣竿ケースを持ち運ぶ場合には、上ベルトのファスナーを解放させて第１の肩掛けベルトと、第２の肩掛けベルトを離間させ、それぞれの肩掛けベルトに両腕のそれぞれを通すことで釣り人の背中にケース本体を垂直にさせ、両手を自由にして担ぐことができ、振動に対しても安定性に優れと共に、他に荷物を持ちながら楽に持ち運びをすることができる。また、瀬渡し等における受け渡しの場合には、上ベルトのファスナーを閉じて第１の肩掛けベルトと、第２の肩掛けベルトを結合させた肩掛けベルトを掴んで肩掛けベルトを他のものに絡ませることなく安全に取り出したり、受け渡したりすることができる。
【００１５】
特に、上記の釣竿ケースは、第１の肩掛けベルトと、第２の肩掛けベルトのそれぞれの下ベルトの下端部が間隔を設けてケース本体に取り付けられているので、釣り人の背中の中心線部に沿ってケース本体を安定よく垂直にさせて担ぐことができ、激しい振動に対しても安定性に優れ、両手を自由にして楽に持ち運びをすることができる。
【００１６】
また、特に、上記の釣竿ケースは、第１の肩掛けベルトと、第２の肩掛けベルトのそれぞれの上ベルトが中央部で切断されていると共に、それぞれの切断部にベルト掛止金具を有し、下端部から延設するそれぞれの下ベルトがそれぞれのベルト掛止金具に取り付けられて第１の肩掛けベルトと、第２の肩掛けベルトのそれぞれの上端部から下端部までの長さ調整が自在からなるので、それぞれの釣り人の体格に合わせて第１の肩掛けベルトと、第２の肩掛けベルトの長さ調整をして身体に密着させて一体的にして担ぐことができ、激しい振動に対しても安定性に優れ、両手を自由にして活動的に動くことができると共に、極めて楽に持ち運びをすることができる。
【図面の簡単な説明】
【００１７】
【図１】（Ａ）、（Ｂ）はそれぞれ本考案の一実施の形態に係る釣竿ケースの説明図である。
【図２】同釣竿ケースの変形例の説明図である。
【図３】同釣竿ケースの他の変形例の説明図である。
【考案を実施するための形態】
【００１８】
続いて、添付した図面を参照しつつ、本考案を具体化した実施するための形態について説明し、本考案の理解に供する。
【００１９】
図１（Ａ）に示すように、本考案の一実施の形態に係る釣竿ケース１０は、釣竿や、リール等を収納するためのケース本体１１と、このケース本体１１を持ち運びするための帯状体からなる肩掛けベルト１２を備えている。そして、この釣竿ケース１０は、ケース本体１１の前側の長手方向に間隔を設けて肩掛けベルト１２の上端部１３と、下端部１４が縫着固定された状態で取り付けられている。ケース本体１１に対する肩掛けベルト１２の取り付け位置は、これを限定するものではないが、通常、肩掛けベルト１２の上端部１３がケース本体１１の上端との間に間隔を設けて取り付けられ、肩掛けベルト１２の下端部１４がケース本体１１の下端に取り付けられている。
【００２０】
釣竿ケース１０は、ケース本体１１や、肩掛けベルト１２が、通常、布地や、ナイロン、ポリプロピレン、塩化ビニール等の合成樹脂繊維の織布等で形成されており、特に、耐久性と、防水性に注意が払われている。ケース本体１１の形状は、特に、これを限定するものではないが、通常、磯釣り等で用いる長い釣竿を短縮させた後、これを複数本収納することが可能のように縦長袋状で下端が硬質の円形や、四角形等からなる受け皿状となっている。また、最近では、ケース本体１１には、釣竿にリールを付けたままにして収納できるようにしているので、縦長袋状の下方部を膨らませた形態等のものが一般的になっている。ある。更には、ケース本体１１には、釣り用の小物の道具を入れるための袋部が設けられたり、ケース本体１１を横にして手で提げることができるために重心位置にハンドル１５が設けられるものがある。なお、ケース本体１１の上端には、通常、後述する瀬渡し等の場合に、肩掛けベルト１２を肩から外して釣竿ケース１０を横にして差し出して相手方が安全、且つ確実に受け取ることができるための取っ手１６が設けられている。また、上記の手で提げることができるためのハンドル１５は、後述するケース本体１１を釣り人の背中に担いだときに、背中に当たって支障が発生しないように、常時はケース本体１１の表面と略一体的になるように収納されているものが好ましい。
【００２１】
上記の釣竿ケース１０は、肩掛けベルト１２が上端部１３から帯状体の幅方向中央で分離し並列させるようにして設けられる第１の肩掛けベルト１２ａと、第２の肩掛けベルト１２ｂの２つから構成されている。この第１の肩掛けベルト１２ａと、第２の肩掛けベルト１２ｂは、上端部１３がそれぞれの帯状体が近接して並列する、又は一体化した状態でケース本体１１の上部前側に縫着固定されている。また、釣竿ケース１０は、第１の肩掛けベルト１２ａと、第２の肩掛けベルト１２ｂがそれぞれの長手方向の上端部１３から中央部１７まで延設する上方ベルト１８と、中央部１７から下端部１４まで延設する下方ベルト１９で構成されている。この釣竿ケース１０は、通常、上方ベルト１８を肩に掛けたときに肩への負担を軽減させるために比較的幅広に形成し、下方ベルト１９を上方ベルト１８より幅狭に形成している。また、釣竿ケース１０は、通常、上方ベルト１８を肩に掛けたときに肩への負担を軽減させたり、持ち運ぶときの肩を保護するために厚みを厚くしている。更には、釣竿ケース１０には、上方ベルト１８の内側に弾性体からなる肩当て体２０を設ける場合もある。
【００２２】
この釣竿ケース１０は、第１の肩掛けベルト１２ａと、第２の肩掛けベルト１２ｂの上方ベルト１８の相対向するそれぞれの側面に、それぞれの上方ベルト１８を結合、又は離間させるためのファスナー２１を有している。このファスナー２１は、スライダー２２を上端部１３側から引き下げることで、上方ベルト１８の相対向するそれぞれの側面に縫合されるテープに設けられているエレメント（務歯）が噛み合ってそれぞれの上方ベルト１８同士が結合するようになっている。また、このファスナー２１は、逆に、スライダー２２を上端部１３側へ引き上げることでそれぞれの上方ベルト１８が離間するようになっている。また、ファスナー２１は、通常、テープがポリエステル等の合成樹脂繊維で形成されており、スライダー２２や、エレメントが金属製、あるいは、潮風等による錆に対応できるように、プラスチックで作製されている。
【００２３】
釣竿ケース１０は、ファスナー２１のスライダー２２を上端部１３側へ引き上げてそれぞれの上方ベルト１８を離間させることで、第１の肩掛けベルト１２ａと、第２の肩掛けベルト１２ｂでリュックサック状態となり、それぞれの第１、第２の肩掛けベルト１２ａ、１２ｂに両腕のそれぞれを通すことで釣り人の背中にケース本体１１を垂直にさせ、両手を自由に開放させて担ぐことができる。従って、釣竿ケース１０は、自転車や、オートバイ等に乗っても振動に対して強く、対向する障害物との危険性を回避できて安全に運ぶことができると共に、歩行時には、他に荷物を持ちながらでも楽に持ち運びをすることができる。
【００２４】
また、図１（Ｂ）に示すように、上記の釣竿ケース１０は、ファスナー２１のスライダー２２を上端部１３側から引き下げてそれぞれの上方ベルト１８を結合させることで、第１の肩掛けベルト１２ａと、第２の肩掛けベルト１２ｂが１つの肩掛けベルト１２とすることができる。このようにした釣竿ケース１０は、瀬渡し等において、１つとなった肩掛けベルト１２を掴むことで、普通のリュックサックのように開いた状態のままの肩掛けベルトや、肩掛けベルトから垂れ下がる紐状体のようなものがないので、他のものを絡ませることなく安全に取り出したり、受け渡したりすることができる。なお、上記の釣竿ケース１０は、ファスナー２１のスライダー２２を上端部１３側から引き下げ、それぞれの上方ベルト１８を結合させて１つの肩掛けベルト１２とすることで、従来のように一方の肩に掛けて持ち運ぶこともできる。
【００２５】
次いで、図２を参照しながら、釣竿ケース１０の変形例を説明する。
図２に示すように、釣竿ケース１０の変形例の釣竿ケース１０ａは、肩掛けベルト１２の下端部１４である、第１の肩掛けベルト１２ａと、第２の肩掛けベルト１２ｂのそれぞれの下方ベルト１９の下端部１４ａ、１４ｂが間隔を設けてケース本体１１の下端に取り付けられているのがよい。この取り付け位置は、特に限定するものではないが、通常、ケース本体１１の下端の円形や、四角形等からなる受け皿の幅一杯の間隔の位置に取り付けられている。この釣竿ケース１０ａは、ファスナー２１のスライダー２２を上端部１３側へ引き上げてそれぞれの上方ベルト１８を離間させ、第１の肩掛けベルト１２ａと、第２の肩掛けベルト１２ｂの上端部１３と、それぞれの下端部１４ａ、１４ｂとで三角形が形成できるので、背中に担ぎやすいリュックサック状態とすることができる。従って、この釣竿ケース１０ａは、釣り人の背中の中心線部に沿ってケース本体１１を安定よく垂直にさせて担ぐことができ、激しい振動に対しても安定性に優れ、両手を自由にして楽に持ち運びをすることができる。
【００２６】
次いで、図３を参照しながら、釣竿ケース１０の他の変形例を説明する。
図３に示すように、釣竿ケース１０の他の変形例の釣竿ケース１０ｂは、第１の肩掛けベルト１２ａと、第２の肩掛けベルト１２ｂのそれぞれの上方ベルト１８が下方ベルト１９との接続部である肩掛けベルト１２の中央部１７で切断されている。これと共に、このそれぞれの切断部には、ベルト掛止金具２３が縫合されるようにして有している。そして、釣竿ケース１０ｂは、それぞれのベルト掛止金具２３に、下端部１４、又は間隔を設けた下端部１４ａ、１４ｂから延設するそれぞれの下方ベルト１９が取り付けられて第１の肩掛けベルト１２ａと、第２の肩掛けベルト１２ｂのそれぞれの上端部１３から下端部１４、又は下端部１４ａ、１４ｂまでの長さ調整が自在からなるようにしている。この釣竿ケース１０ｂは、それぞれの釣り人の体格に合わせて第１の肩掛けベルト１２ａと、第２の肩掛けベルト１２ｂの長さ調整をすることができ、ケース本体１１を身体に密着させて一体的にして担ぐことができるので、激しい振動に対しても安定性に優れ、両手を自由にして活動的に動くことができると共に、極めて楽に持ち運びをすることができる。
【産業上の利用可能性】
【００２７】
本考案の釣竿ケースは、釣竿、特に、磯釣り等に用いられる比較的長い竿をケース本体に収納して、あらゆる条件の場合にも、これを安全、且つ容易に持ち運ぶことができるための釣竿ケースとして用いることができる。
【符号の説明】
【００２８】
１０、１０ａ、１０ｂ：釣竿ケース、１１：ケース本体、１２：肩掛けベルト、１２ａ：第１の肩掛けベルト、１２ｂ：第２の肩掛けベルト、１３：上端部、１４：下端部、１５：ハンドル、１６：取っ手、１７：中央部、１８：上方ベルト、１９：下方ベルト、２０：肩当て体、２１：ファスナー、２２：スライダー、２３：ベルト掛止金具 
【図１】
0003156320.tif 000003
【図２】
0003156320.tif 000004
【図３】
0003156320.tif 000005